(57)【要約】【課題】跳ね返ったボールによる事故発生の可能性がある。【解決手段】投擲ボール又は打撃ボール、ゴルフ練習用ではゴルフにおけるドライバーでのフルショットのボールが衝突する際の衝撃を吸収し且つボールを衝突箇所に少なくとも一時的に止まらせる機能を有する低反発粘弾性材層１と、該低反発粘弾性材層１の裏面側に設けた衝撃吸収材層２の積層体として、ボールの跳ね返りを確実に防止する。【選択図】図４
2009160323.tif 000002
【特許請求の範囲】
【請求項１】
投擲ボール又は打撃ボールが衝突する際の衝撃を吸収し且つボールを衝突箇所に少なくとも一時的に止まらせる機能を有する低反発粘弾性材層と、該低反発粘弾性層の裏面側に設けた衝撃吸収材層の積層体としたことを特徴とする球技練習用標的体。
【請求項２】
低反発粘弾性材層の表面を白色としたことを特徴とする請求項１記載の球技練習用標的体。
【請求項３】
複数の低反発粘弾性材層を剥離可能に積層したことを特徴とする請求項１又は２記載の球技練習用標的体。
【請求項４】
各低反発粘弾性材層の裏面にフィルム状の基材を設けたことを特徴とする請求項３記載の球技練習用標的体。
【請求項５】
衝撃吸収材層の裏面に、該衝撃吸収材層より大きい布地を固着したことを特徴とする請求項１、２、３又は４記載の球技練習用標的体。
【請求項６】
布地の裏面に衝撃吸収材を設けたことを特徴とする請求項５記載の球技練習用標的体。
【発明の詳細な説明】
【技術分野】
【０００１】
本発明は、野球やゴルフなどの球技の練習において、実際にボールの投げたり打つ練習で、放たれたボールの衝突時の衝撃で全体形状が大きく変形せず、而もぶつかったボールが大きく跳ね返らず、望ましくは投擲ボール又は打撃ボールの方向（コース）を確認するためにボールが一時的に付着する様にした球技練習用標的体に関する。
【背景技術】
【０００２】
従来、室内でゴルフ等の練習を手軽に行える様にした練習器具として、ゴルフボールを受け止め、ゴルフボールの跳ね返りを抑制し、且つ吸音効果により騒音の発生を抑えるための、低反発ウレタンフォームなどの衝撃吸収体を有する衝突体を備えたものが見受けられ、この衝突体によれば、衝突跡が衝撃吸収体に長く残るためにボールの方向を確認することも可能である（例えば、特許文献１参照）。
【０００３】
【特許文献１】特開２００６−１１０１３７号公報（請求項１〜３、段落番号〔０００６〕、段落番号〔０００７〕、段落番号〔００１１〕、図２）
【発明の開示】
【発明が解決しようとする課題】
【０００４】
しかし、上記従来技術にあっては、ゴルフボールの跳ね返りを抑制するためのものである、即ちゴルフボールは跳ね返ってしまうため、使い方を間違えれば、跳ね返ったボールが使用者に当たる事故発生の危険性を排除出来ないなど、解決せねばならない課題があった。
【課題を解決するための手段】
【０００５】
本発明は、上記従来技術に基づく、跳ね返ったボールによる事故発生の可能性がある課題に鑑み、投擲ボール又は打撃ボール、ゴルフ練習用ではゴルフにおけるドライバーでのフルショットのボールが衝突する際の衝撃を吸収し且つボールを衝突箇所に少なくとも一時的に止まらせる機能を有する低反発粘弾性材層と、該低反発粘弾性材層の裏面側に設けた衝撃吸収材層の積層体とすることによって、ボールの跳ね返りを確実に防止する様にして、上記課題を解決する。
【発明の効果】
【０００６】
要するに本発明は、投擲ボール又は打撃ボールが衝突する際の衝撃を吸収し且つボールを衝突箇所に少なくとも一時的に止まらせる機能を有する低反発粘弾性材層と、該低反発粘弾性材層の裏面側に設けた衝撃吸収材層の積層体としたので、ボールが跳ね返らないため安全であることの他、ボール衝突時に全体が表面が波打ったりボールを包む様に変形せず、望ましくはボールが衝突箇所に止まるため、ボールの方向を確実に確認することが出来る。
而も、低反発粘弾性材層の表面を白色としたので、上述の如く全体的に大きく変形しないため、バーチャルゴルフのスクリーンとして利用しても映写画像が乱れず、映し出されたホールに対する打ち出し方向を、データ処理して映し出すボールだけでなく実際に残ったボールで確認することが出来る。
【０００７】
複数の低反発粘弾性材層を剥離可能に積層したので、劣化した粘弾性シートを剥がしていくことで新たな衝突面に変更・リセットすることが出来、而も各低反発粘弾性シートの裏面にフィルム状の基材を設けたので、低反発粘弾性材層の剥離を容易化することが出来る。
【０００８】
衝撃吸収材層の裏面に、該衝撃吸収材層より大きい布地を固着したので、軟質な衝撃吸収材層は壁、防球ネットなどに取り付け難いが、布地であれば取付工事を簡易化出来る。
又、布地の裏面に衝撃吸収材を設けたので、該衝撃吸収材が壁に取り付けた際の緩衝材となるため、壁側への振動を到達させず、防音機能の向上を図ることが出来る等その実用的効果甚だ大である。
【発明を実施するための最良の形態】
【０００９】
本発明に係る球技練習用標的体にあっては、野球のピッチング練習における投擲ボール又はゴルフのショット練習における打撃ボールが衝突する際の衝撃を吸収し且つボールを衝突箇所に少なくとも一時的に止まらせる機能を有する低反発粘弾性材層１と、該低反発粘弾性材層１の裏面側に設けた衝撃吸収材層２の積層体とし、一点に作用する衝撃を破損させずに吸収し、尚且つ衝突位置に粘着させて一時的に止まらせる粘着性、硬度、遅い復元性等が必要になる。
【００１０】
上記低反発粘弾性材層１を構成する低反発粘弾性材にあっては、下記の様な特性を有する材質で形成されている。
（１）自己粘着性を有し、表面を粘着面としてボールを跳ね返させずに張り付かせる。
（２）硬度が低くボールを一旦めり込ませる。
（３）ボールがめり込んで凹んでも徐々に復元し、結果として完全に元通りにならないと      しても略平面に戻る。
（４）復元過程時又は復元終了後に、張りついたボールが、その状態のまま自重により表      面を転動するように落下したり、衝突位置から剥離して落下する。
（５）表面は光沢のないつや消し面とするのが好ましく、更に表面を白色にするのが好ま      しい。
【００１１】
上記低反発粘弾性材の具体的な材質としては、ポリウレタン系低反発粘弾性材であったり、ＰＶＣ（ポリ塩化ビニル）系低反発粘弾性材とし、その組成は下記の通りである。
〔ポリウレタン系低反発粘弾性材の実施例１〕
ポリウレタンプレポリマー：５〜１０重量パーセント
ＯＨ基が１個のポリプロピレングリコール：２０〜５０重量パーセント
ＯＨ基が２個のポリプロピレングリコール：２５〜６０重量パーセント
可塑剤（例えばＤＯＰ（デオクタルフタレート））：５〜２０重量パーセント
（望ましくはイルガノソクスの様な酸化防止剤：適量）
〔ポリウレタン系低反発粘弾性材の実施例２〕
ＯＨ基が１個のポリプロピレングリコール：３５〜５０重量パーセント
ＯＨ基が２個のポリプロピレングリコール：３５〜５０重量パーセント
ＭＤＩ（ジフェニルメタンジイソシアネート）：５〜１０重量パーセント
可塑剤（例えばＤＯＰ（デオクタルフタレート））：５〜１０重量パーセント
〔ＰＶＣ（ポリ塩化ビニル）系低反発粘弾性材の実施例〕
ＰＶＣ（ポリ塩化ビニル）：４０〜５０重量パーセント
可塑剤（例えばＤＯＰ（デオクタルフタレート））：２８〜５０重量パーセント
増粘剤（例えばアクリルニトリルゴム）：８〜２０重量パーセント
安定剤（例えば錫マレート）：１〜２重量パーセント
【００１２】
尚、低反発粘弾性材層１の表面を白色にする場合、上記材料に白色顔料を添加すれば良い。
【００１３】
上記衝撃吸収材層２を構成する衝撃吸収材にあっては、例えば発泡ウレタンの様な変形容易にして軽量なものとしている。
【００１４】
又、球技練習用標的体の他の実施例にあっては、図５に示す様に、複数の低反発粘弾性材層１、1a…を剥離可能に積層しても良く、更に各低反発粘弾性材層１、1a…の裏面に、薄厚な熱可塑性樹脂エラストマーフィルムである基材３、3a…を設けるのが好ましい。
【００１５】
又、上記衝撃吸収材層２の裏面に、該衝撃吸収材層２より大きい布地４を固着するのが好ましく、更に布地４の裏面にも衝撃吸収材５を設けても良い。
【００１６】
そして、本発明に係る球技練習用標的体は、図１に示す様に、防球ネット及びフレームで構成されたゲージＧの奥に設置され、その設置形態は、図２に示す様に、ゲージＧ奥のネットＮに固定したり、図３に示す様に、ゲージＧより奥側の部屋の壁Ｗに固定し、後者の場合、布地４と壁Ｗの間に上記衝撃吸収材５を介設するのが好ましい。
【図面の簡単な説明】
【００１７】
【図１】本発明に係る球技練習用標的体の使用状態を示す概略斜視図である。
【図２】図１の球技練習用標的体をネットに取り付けた状態を示す縦断面図である。
【図３】図１の球技練習用標的体を壁に取り付けた状態を示す縦断面図である。
【図４】球技練習用標的体の縦断面の要部拡大図である。
【図５】複数の低反発粘弾性材層を有する球技練習用標的体の縦断面の要部拡大図である。
【符号の説明】
【００１８】
１、1a…  低反発粘弾性材層
２        衝撃吸収材層
３、3a…  基材
４        布地
５        衝撃吸収材
【図１】
2009160323.tif 000003
【図２】
2009160323.tif 000004
【図３】
2009160323.tif 000005
【図４】
2009160323.tif 000006
【図５】
2009160323.tif 000007